(57)【要約】【課題】映像出力装置内でデコード処理された映像信号を解像度変換して映像表示装置にて表示する場合、映像をより高品位に表示する。【解決手段】映像コンテンツをデコード処理するデコード回路と、映像表示装置が有する解像度情報を読み出す制御部と、デコード処理された映像コンテンツの解像度を含む第１映像信号と、制御部が読み出した解像度情報のうち最大の解像度を含む第２映像信号と、のいずれか一方を出力する第１解像度変換回路と、を含んで構成される映像出力装置と、解像度情報を有する記憶部と、第１映像信号と、第２映像信号と、のいずれか一方を映像表示装置で表示する映像信号として出力する第２解像度変換回路と、を含んで構成される映像表示装置と、を備え、第１映像信号および第２映像信号の解像度の比較を行い、当該比較結果に基づいて、第１解像度変換回路および第２解像度変換回路のうち少なくとも一方の回路は解像度変換を実施しない。【選択図】図３
2019140544.tif 000002
【特許請求の範囲】
【請求項１】
映像出力装置内でデコード処理された映像信号を解像度変換して、映像表示装置で映像信号を表示する映像表示システムであって、
映像コンテンツをデコード処理するデコード回路と、
前記映像表示装置が有する解像度情報を読み出す制御部と、
デコード処理された映像コンテンツの解像度を含む第１映像信号と、前記制御部が読み出した解像度情報のうち最大の解像度を含む第２映像信号と、のいずれか一方を出力する第１解像度変換回路と、
を含んで構成される映像出力装置と、
前記解像度情報を有する記憶部と、
前記第１映像信号と、前記第２映像信号と、のいずれか一方を前記映像表示装置で表示する映像信号として出力する第２解像度変換回路と、
を含んで構成される映像表示装置と、
を備え、
前記第１解像度変換回路における前記第１映像信号および前記第２映像信号の解像度の比較を行い、当該比較結果に基づいて、前記第１解像度変換回路および前記第２解像度変換回路のうち少なくとも一方の回路は解像度変換を実施しない、
映像表示システム。
【請求項２】
前記映像コンテンツの解像度が、前記制御部が読み出した解像度情報のうち最大の解像度より小さい場合、
前記第１解像度変換回路では解像度変換を実施せず、前記第１映像信号をそのまま、前記映像表示装置に出力し、前記第２解像度変換回路では、解像度変換を実施して、前記第２映像信号を前記映像表示装置で表示する映像信号として出力し、
前記映像コンテンツの解像度が、前記制御部が読み出した解像度情報のうち最大の解像度と等しい場合、
前記第１解像度変換回路では解像度変換を実施せず、前記第１映像信号をそのまま、前記映像表示装置に出力し、前記第２解像度変換回路でも、解像度変換を実施せず、前記第１映像信号を前記映像表示装置で表示する映像信号として出力し、
前記映像コンテンツの解像度が、前記制御部が読み出した解像度情報のうち最大の解像度より大きい場合、
前記第１解像度変換回路では解像度変換を実施し、前記第２映像信号を、前記映像表示装置に出力し、前記第２解像度変換回路では、解像度変換を実施せず、前記第２映像信号を前記映像表示装置で表示する映像信号として出力する、
請求項１に記載の映像表示システム。
【請求項３】
映像出力装置内でデコード処理された映像信号を解像度変換して、映像表示装置で映像信号を表示する映像表示方法であって、
デコード回路が、映像コンテンツをデコード処理するデコード処理工程と、
制御部が、前記映像表示装置が有する解像度情報を読み出す制御工程と、
第１解像度変換回路が、デコード処理された映像コンテンツの解像度を含む第１映像信号と、前記制御部が読み出した解像度情報のうち最大の解像度を含む第２映像信号と、のいずれか一方を出力する第１出力工程と、
第２解像度変換回路が、前記第１映像信号と、前記第２映像信号と、のいずれか一方を前記映像表示装置で表示する映像信号として出力する第２出力工程と、
を含んで構成され、
前記第１解像度変換回路における前記第１映像信号および前記第２映像信号の解像度の比較を行い、当該比較結果に基づいて、前記第１解像度変換回路および前記第２解像度変換回路のうち少なくとも一方の回路は解像度変換を実施しない、
映像表示方法。
【発明の詳細な説明】
【技術分野】
【０００１】
本発明は、映像表示システムおよび映像表示方法に関する。
【背景技術】
【０００２】
近年、映像出力装置内でデコード処理された映像信号を解像度変換して映像表示装置にて表示する映像表示システムが増加してきている。
図４は、映像出力装置と映像表示装置とから構成される映像表示システムの構成を示すブロック図である。すなわち、図４は、映像出力装置１から映像信号１０を出力し、映像表示装置５の中の表示パネル８にて映像信号を表示する映像表示システム１００の構成を示している。
従来、デコード処理された映像信号を映像出力装置１から出力し、それを液晶モニターやプロジェクターなどの映像表示装置５で表示する場合において、通常は、映像出力装置１が、デコードされた映像コンテンツの解像度にかかわらず、映像表示装置５が持つＥＤＩＤ（Ｅｘｔｅｎｄｅｄ  Ｄｉｓｐｌａｙ  Ｉｄｅｎｔｉｆｉｃａｔｉｏｎ  Ｄａｔａ）情報をもとに映像表示装置５に最適な解像度に変換したのち映像信号１０を出力する。
つまり、映像出力装置１内のデコード回路２でデコード処理された映像信号は、そのコンテンツの解像度にかかわらず、制御部４が映像表示装置５内のＥＤＩＤ ＲＯＭ ６から読み出した解像度情報９に基づいて、解像度変換回路３で映像表示装置５に最適な解像度に変換され、映像信号１０として映像表示装置５に送られる。この場合、映像表示装置５に送られた映像信号１０はすでに映像表示装置５に最適な解像度に変換されているので、解像度変換回路７では解像度変換を行わずにそのまま表示パネル８に送られ表示される。
【０００３】
この時、デコード処理された映像信号を出力する映像出力装置１の解像度変換回路３は映像表示装置５の解像度変換回路７よりも低品位であることが多く、ＥＤＩＤ ＲＯＭ ６が持つ解像度情報９をもとに映像表示装置５に最適な解像度の映像信号で出力しようとすると、この映像出力装置１の低品位な解像度変換回路３にて解像度変換が行われることになる。
図５は、映像表示装置が持つＥＤＩＤ情報をもとに映像表示装置に最適な解像度の映像信号で出力する場合の一例を示す図である。映像出力装置は、映像出力装置内でデコードされた映像コンテンツの解像度にかかわらず、映像表示装置が持つＥＤＩＤの第一優先の解像度になるように解像度変換を行い、その解像度変換された映像信号を映像表示装置側へ送り込むことになるが、この場合の解像度変換回路は映像出力装置側の解像度変換回路が使用されることになるため、解像度変換の品位は低く、映像表示装置で表示される映像信号の品位も低くなる。
これに対し、特許文献１においては、映像出力装置内でデコードされた映像コンテンツの解像度が、映像表示装置のいずれのＥＤＩＤの解像度と一致しない場合は、映像出力装置内でデコードされた映像コンテンツの解像度に最も近い解像度へ、映像出力装置の解像度変換回路を使用して解像度変換を行っている。
【先行技術文献】
【特許文献】
【０００４】
【特許文献１】特開２００７−２１４８３０号公報
【発明の概要】
【発明が解決しようとする課題】
【０００５】
しかしながら、この特許文献１の場合は、映像表示装置が持つＥＤＩＤの解像度の中でどの解像度が、映像出力装置内でデコードされた映像コンテンツの解像度と最も近いものになるかを見つけ出す処理が複雑であり、かつ、映像出力装置側の品位の低い解像度変換回路を一度使用することになり、表示品位の低下につながる。
本発明は、上記課題を解決することができる映像表示システムおよび映像表示方法を提供することを目的とする。
【課題を解決するための手段】
【０００６】
上記課題を解決するため、本発明の一態様は、映像出力装置内でデコード処理された映像信号を解像度変換して、映像表示装置で映像信号を表示する映像表示システムであって、映像コンテンツをデコード処理するデコード回路と、前記映像表示装置が有する解像度情報を読み出す制御部と、デコード処理された映像コンテンツの解像度を含む第１映像信号と、前記制御部が読み出した解像度情報のうち最大の解像度を含む第２映像信号と、のいずれか一方を出力する第１解像度変換回路と、を含んで構成される映像出力装置と、前記解像度情報を有する記憶部と、前記第１映像信号と、前記第２映像信号と、のいずれか一方を前記映像表示装置で表示する映像信号として出力する第２解像度変換回路と、を含んで構成される映像表示装置と、を備え、前記第１解像度変換回路における前記第１映像信号および前記第２映像信号の解像度の比較を行い、当該比較結果に基づいて、前記第１解像度変換回路および前記第２解像度変換回路のうち少なくとも一方の回路は解像度変換を実施しない、映像表示システムである。
【０００７】
また、本発明の一態様は、映像出力装置内でデコード処理された映像信号を解像度変換して、映像表示装置で映像信号を表示する映像表示方法であって、デコード回路が、映像コンテンツをデコード処理するデコード処理工程と、制御部が、前記映像表示装置が有する解像度情報を読み出す制御工程と、第１解像度変換回路が、デコード処理された映像コンテンツの解像度を含む第１映像信号と、前記制御部が読み出した解像度情報のうち最大の解像度を含む第２映像信号と、のいずれか一方を出力する第１出力工程と、第２解像度変換回路が、前記第１映像信号と、前記第２映像信号と、のいずれか一方を前記映像表示装置で表示する映像信号として出力する第２出力工程と、を含んで構成され、前記第１解像度変換回路における前記第１映像信号および前記第２映像信号の解像度の比較を行い、当該比較結果に基づいて、前記第１解像度変換回路および前記第２解像度変換回路のうち少なくとも一方の回路は解像度変換を実施しない、映像表示方法である。
【発明の効果】
【０００８】
本発明の一態様によれば、映像出力装置内でデコード処理された映像信号を解像度変換して映像表示装置にて表示する場合、映像出力装置側にて、映像表示装置が持つＥＤＩＤの最大の解像度のみを用いて判別を行うことで、可能な限り映像表示装置側のより高品位な解像度変換回路にて解像度変換を行うことができ、映像をより高品位に表示することが可能になる。
【図面の簡単な説明】
【０００９】
【図１】本実施例の映像表示装置のＥＤＩＤの最大の解像度情報を使用する場合の一例を示す図である。
【図２】本実施例のフローチャートを示す図である。
【図３】本発明の一実施形態に係る映像表示システムの基本的構成例を示すブロック図である。
【図４】映像出力装置と映像表示装置とから構成される映像表示システムの構成を示すブロック図である。
【図５】映像表示装置が持つＥＤＩＤ情報をもとに映像表示装置に最適な解像度の映像信号で出力する場合の一例を示す図である。
【発明を実施するための形態】
【００１０】
以下、本発明の実施形態について図面を参照して説明する。
まず、本発明の実施形態の映像表示システムの構成は、図４と同じであるが、制御方法が従来例とは異なる。本発明の実施形態の映像表示システムは、通常は映像表示装置に搭載の解像度変換回路の方が高品位であるため、デコード処理された映像信号がより高品位に表示されるように、可能な限り映像表示装置側の解像度変換回路を使用するようにする。
【００１１】
図４に示すように、映像表示システム１００は、映像出力装置１と映像表示装置５とから構成される。ここで、映像出力装置１は、デコード回路２と、解像度変換回路３と、制御部４とを含んで構成されている。また、映像表示装置５は、ＥＤＩＤ ＲＯＭ ６（記憶部）と、解像度変換回路７と、表示パネル８とを含んで構成されている。
本実施形態においては、映像出力装置１内のデコード回路２でデコード処理された映像コンテンツの解像度が、制御部４が映像表示装置５内のＥＤＩＤ ＲＯＭ ６から読み出した解像度情報９のうち最大の解像度よりも小さい場合は、映像出力装置1の解像度変換回路３では解像度変換は行わずに、映像出力装置１内のデコード回路２でデコード処理された映像コンテンツの解像度のまま映像表示装置５に出力し、映像表示装置５の解像度変換回路７にて解像度変換を行ったのち、表示パネル８で表示するようにする。
ここで、ＥＤＩＤ ＲＯＭ ６から読み出した解像度情報９のうち最大の解像度とは、各水平方向の解像度と垂直方向の解像度が示す画素数を掛け算し総画素数を求めたもののうち、最大の総画素数になるものをいう。
【００１２】
通常、映像表示装置５はそれ自身が持つＥＤＩＤの最大の解像度よりも小さい解像度の映像信号が入力された場合は、ＥＤＩＤの解像度と一致するものが存在しない場合であっても、その映像表示装置の実力上、表示することが可能であるため、本発明では、先行技術（特開２００７−２１４８３０）のように、映像出力装置１側の解像度変換回路３で一旦映像表示装置５側のＥＤＩＤ内にある解像度に解像度変換することはせずに、映像表示装置５側のより高品位な解像度変換回路７だけで解像度変換を行うようにする。
また、本発明では、映像出力装置１内のデコード回路２でデコード処理された映像コンテンツの解像度と、制御部４が映像表示装置５内のＥＤＩＤ ＲＯＭ ６から読み出した解像度情報９のうち最大の解像度だけを比較して処理方法を決定するだけなので、先行技術（特開２００７−２１４８３０）の場合のように、映像表示装置５が持つＥＤＩＤの解像度の中でどの解像度が、デコード処理された映像コンテンツの解像度と最も近いものになるかを見つけ出す処理が不要になり処理工程が軽くなる。
【００１３】
したがって、映像出力装置１内のデコード回路２でデコード処理された映像コンテンツの解像度が、制御部４が映像表示装置５内のＥＤＩＤ ＲＯＭ ６から読み出した解像度情報９のうち最大の解像度よりも小さい場合は、映像出力装置１の低品位の解像度変換回路３は使用されず、映像表示装置５のより高品位な解像度変換回路７にて解像度変換が行われることになるため、表示パネル８で表示される映像信号も高品位になる。
【００１４】
また、映像出力装置１内のデコード回路２でデコード処理された映像コンテンツの解像度が、制御部４が映像表示装置５内のＥＤＩＤ ＲＯＭ ６から読み出した解像度情報９のうち最大の解像度と等しい場合は、映像出力装置１の解像度変換回路３では解像度変換せずに、映像出力装置１内のデコード回路２でデコード処理された映像コンテンツの解像度のまま映像表示装置５に出力し、映像表示装置５側でも解像度変換を行わずにそのまま表示パネル８で表示する。
【００１５】
ただし、映像出力装置１内のデコード回路２でデコード処理された映像コンテンツの解像度が、制御部４が映像表示装置５内のＥＤＩＤ ＲＯＭ ６から読み出した解像度情報９のうち最大の解像度よりも大きい場合には、通常、映像表示装置５側の解像度変換回路７では対応できないため、映像出力装置１内で解像度変換せずに、映像出力装置１内のデコード回路２でデコード処理された映像コンテンツの解像度のまま映像表示装置５に出力してしまうと映像表示装置５の表示パネル８において何も表示できなくなるという問題が生じる。そのため、この場合のみ、映像出力装置１側の解像度変換回路３にて、制御部４が映像表示装置５内のＥＤＩＤ ＲＯＭ ６から読み出した解像度情報９のうち最大の解像度に合うように解像度変換を行い、映像表示装置５へ出力して表示パネル８で表示させる。
【００１６】
以上の内容をまとめると以下のようになる。映像出力装置１内のデコード回路２でデコード処理された映像コンテンツの解像度をＲｄｅｃ、制御部４が映像表示装置５内のＥＤＩＤ ＲＯＭ ６から読み出した解像度情報９のうち最大の解像度をＲｅｄｍａｘとすると、以下のように場合分けできる。
（１）Ｒｄｅｃ＜Ｒｅｄｍａｘのとき、映像出力装置１内でデコードされた映像コンテンツの解像度のまま映像表示装置５へ出力し、映像表示装置5側にて解像度変換を実施する。
（２）Ｒｄｅｃ＝Ｒｅｄｍａｘのとき、映像出力装置１内でデコードされた映像コンテンツの解像度のまま映像表示装置５へ出力し、映像表示装置５側における解像度変換は実施しない。
（３）Ｒｄｅｃ＞Ｒｅｄｍａｘのとき、映像出力装置１側の解像度変換回路３にて、映像表示装置５のＥＤＩＤの最大の解像度に合うように解像度変換した後、映像表示装置５へ出力する。
また、図１は、映像出力装置内でデコードされた映像コンテンツの解像度と映像表示装置のＥＤＩＤの最大の解像度の一例を示す図である。この場合は、映像出力装置内でデコードされた映像コンテンツの解像度が４Ｋで映像表示装置のＥＤＩＤの最大の解像度が２Ｋのときだけが、映像出力装置側の解像度変換回路で解像度変換を行っている。
【００１７】
続いて、図２を参照して、本実施例の映像表示システムの動作について説明する。図２は、本実施例のフローチャートを示す図である。
映像表示装置５内のＥＤＩＤ ＲＯＭ ６から映像表示装置５の解像度情報を入手した（ステップＳ１）後、その最大の解像度を検出し（ステップＳ２）、さらに映像出力装置１でデコード処理された映像コンテンツの解像度を取得する（ステップＳ３）。
次に、映像出力装置１でデコード処理された映像コンテンツの解像度が映像表示装置５の最大の解像度より小さければ（ステップＳ４−ＹＥＳ）、Ｓ５へ移行し、映像出力装置１でデコード処理された映像コンテンツの解像度のまま映像表示装置５に出力して、映像表示装置５側の解像度変換回路７で解像度変換を行う。
ステップＳ４が成立しない場合は（ステップＳ４−ＮＯ）、ステップＳ６へ移行する。ステップＳ６にて映像出力装置１でデコード処理された映像コンテンツの解像度と映像表示装置５の最大の解像度が等しければ（ステップＳ６−ＹＥＳ）、ステップＳ７へ移行し、ステップＳ７にて映像出力装置1でデコード処理された映像コンテンツの解像度のまま映像表示装置５に出力して、映像表示装置５側の解像度変換回路７でも解像度変換は行わない。
ステップＳ６が成立しない場合は（ステップＳ６−ＮＯ）、映像出力装置１でデコード処理された映像コンテンツの解像度は映像表示装置５の最大の解像度より大きいことになるのでステップＳ８へ移行する。ステップＳ８では映像出力装置１の解像度変換回路３で映像表示装置５の最大の解像度に解像度変換し、映像表示装置５に出力する。
ステップＳ５、Ｓ７、Ｓ８のあとは、すべてステップＳ９へ移行し、映像出力装置１でデコード処理される映像コンテンツが変更されるまではステップＳ９に留まる。ステップＳ９にて映像出力装置１でデコード処理される映像コンテンツが変更された場合には（ステップＳ９−ＹＥＳ）、再びステップＳ３へ移行して映像出力装置１でデコード処理された映像コンテンツの解像度を取得する。
【００１８】
次に、図３を参照して、本発明の実施形態の基本的構成例について説明する。図３は、本発明の一実施形態に係る映像表示システムの基本的構成例を示すブロック図である。
図３に示す映像表示システム１００は、映像出力装置１内でデコード処理された映像信号を解像度変換して、映像表示装置５で映像信号を表示する映像表示システムである。
映像出力装置１は、映像コンテンツをデコード処理するデコード回路２と、映像表示装置５が有する解像度情報を読み出す制御部４と、デコード処理された映像コンテンツの解像度を含む第１映像信号と、制御部４が読み出した解像度情報のうち最大の解像度を含む第２映像信号と、のいずれか一方を出力する解像度変換回路３（第１解像度変換回路）と、を含んで構成される。
映像表示装置５は、解像度情報を有するＥＤＩＤ ＲＯＭ ６（記憶部）と、第１映像信号と、第２映像信号と、のいずれか一方を映像表示装置５で表示する映像信号として出力する解像度変換回路７（第２解像度変換回路）と、を含んで構成される。
また、映像表示システム１００は、解像度変換回路３（第１解像度変換回路）における第１映像信号および第２映像信号の解像度の比較を行い、当該比較結果に基づいて、解像度変換回路３（第１解像度変換回路）および解像度変換回路７（第２解像度変換回路）のうち少なくとも一方の回路は解像度変換を実施しない。この制御は、映像出力装置１の制御部４が行ってもよいし、映像表示システム１００が有する制御装置（図３において不図示）が行ってもよいし、あるいは、映像表示装置５の制御部（図３において不図示）が行ってもよい。
【００１９】
ここで、上記映像表示システム１００が行う、解像度変換回路３（第１解像度変換回路）における第１映像信号および第２映像信号の解像度の比較を行い、当該比較結果に基づいて、解像度変換回路３（第１解像度変換回路）および解像度変換回路７（第２解像度変換回路）のうち少なくとも一方の回路は解像度変換を実施しないことは、以下のような制御となる。
映像コンテンツの解像度が、制御部４が読み出した解像度情報のうち最大の解像度より小さい（Ｒｄｅｃ＜Ｒｅｄｍａｘ）場合、解像度変換回路３（第１解像度変換回路）では解像度変換を実施せず、第１映像信号をそのまま、映像表示装置５に出力し、解像度変換回路７（第２解像度変換回路）では、解像度変換を実施して、第２映像信号を映像表示装置５で表示する映像信号として出力する。
また、映像表示システム１００は、映像コンテンツの解像度が、制御部４が読み出した解像度情報のうち最大の解像度と等しい（Ｒｄｅｃ＝Ｒｅｄｍａｘ）場合、解像度変換回路３（第１解像度変換回路）では解像度変換を実施せず、第１映像信号をそのまま、映像表示装置５に出力し、解像度変換回路７（第２解像度変換回路）でも、解像度変換を実施せず、第１映像信号を映像表示装置５で表示する映像信号として出力する。
さらに、映像表示システム１００は、映像コンテンツの解像度が、制御部４が読み出した解像度情報のうち最大の解像度より大きい（Ｒｄｅｃ＞Ｒｅｄｍａｘ）場合、解像度変換回路３（第１解像度変換回路）では解像度変換を実施し、第２映像信号を、映像表示装置５に出力し、解像度変換回路７（第２解像度変換回路）では、解像度変換を実施せず、第２映像信号を映像表示装置５で表示する映像信号として出力する。
【００２０】
以上のように、映像出力装置内でデコード処理された映像信号を解像度変換して映像表示装置にて表示する場合、映像出力装置側にて、映像表示装置が持つＥＤＩＤの最大の解像度のみを用いて判別を行うことで、可能な限り映像表示装置側のより高品位な解像度変換回路にて解像度変換を行うことができ、映像をより高品位に表示することが可能になる。
【００２１】
なお、本発明は、上述の実施形態に限定されるものではなく、本発明の目的を達成できる範囲での変形、改良等は本発明に含まれるものである。
【符号の説明】
【００２２】
１…映像出力装置、２…デコード回路、３，７…解像度変換回路、４…制御部、５…映像表示装置、６…ＥＤＩＤ ＲＯＭ、８…表示パネル
【図１】
2019140544.tif 000003
【図２】
2019140544.tif 000004
【図３】
2019140544.tif 000005
【図４】
2019140544.tif 000006
【図５】
2019140544.tif 000007